(57)【要約】      （修正有）【課題】  優れた腰、強度、耐久性、クッション性、滑り防止性及び意匠性を有する藺草製敷物の提供を目的とする。【解決手段】藺草を織成した方形の基材シート１を備える藺草製敷物であって、ａ）基材シート１の表面側の外縁域に重畳される、藺草を織成した帯状の４枚のボーダーシート２ａ，２ｂと、ｂ）基材シート１の裏面側に接着剤を介して積層される軟質ポリマーシート３と、ｃ）軟質ポリマーシート３の裏面側に接着剤を介して積層される不織布４と、ｄ）不織布４の裏面に散点的に付設される軟質ポリマー製の複数のドット５とを備えており、上記ボーダーシート２ａ，２ｂの藺草軸方向が略幅方向に向けられていることを特徴とする。ボーダーシート２ａ，２ｂの平均幅は５ｃｍ以上１５ｃｍ以下が好ましい。ボーダーシート２ａ，２ｂは藺草の袋織りにが好ましい。ボーダーシート２ａ，２ｂの裏面に接着剤を積層するとよい。接着剤は天然ゴム系接着剤が好ましい。【選択図】  図１
2006254935.tif 000002
【特許請求の範囲】
【請求項１】
藺草を織成した方形の基材シートを備える藺草製敷物であって、
基材シートの表面側の外縁域に重畳される、藺草を織成した帯状の４枚のボーダーシートと、
基材シートの裏面側に接着剤を介して積層される軟質ポリマーシートと、
軟質ポリマーシートの裏面側に接着剤を介して積層される不織布と、
不織布の裏面に散点的に付設される軟質ポリマー製の複数のドットとを備えており、
上記ボーダーシートの藺草軸方向が略幅方向に向けられていることを特徴とする藺草製敷物。
【請求項２】
上記ボーダーシートの平均幅が５ｃｍ以上１５ｃｍ以下である請求項１に記載の藺草製敷物。
【請求項３】
上記ボーダーシートが藺草の袋織りにより形成されている請求項１又は請求項２に記載の藺草製敷物。
【請求項４】
上記ボーダーシートの裏面に接着剤が積層されている請求項１、請求項２又は請求項３に記載の藺草製敷物。
【請求項５】
上記接着剤として天然ゴム系接着剤が用いられている請求項１から請求項４のいずれか１項に記載の藺草製敷物。
【発明の詳細な説明】
【技術分野】
【０００１】
本発明は、藺草を使用した藺草製敷物に関し、詳細には優れた腰、耐久性、クッション性、滑り防止性及び意匠性を有する藺草製敷物に関するものである。
【背景技術】
【０００２】
藺草製敷物は、独特の風合い、香気、感触等を有するため、従来から根強く愛好されている。今日では、藺草製敷物は、住宅事情の変遷によりフローリング床等の種々の床面に敷設されている。
【０００３】
従来の藺草製敷物としては、茣蓙に代表されるように、藺草を緯材料とし、木綿糸等を経材料として織成した基材シートが用いられており、巻き取り及び折り畳みが可能で、収納及び敷設の便利性を有している。また、藺草製敷物は、補強のために基材シートの外縁部に縁布が縫着されている。なお、幅の広い藺草製敷物は、複数枚の基材シート用原反の経辺を接合することで形成されている。
【０００４】
また、緯辺部の強度を高めるために基材シートの緯辺を裏側へ折り返して縫止した構造の藺草製敷物（特開２００２−１９２５０５公報等参照）や、フローリング床等との滑りを防止するために基材シートを軟質ポリウレタンフォームで裏打ちした構造の藺草製敷物（特開平１０−１００３０７号公報等参照）などが提案されている。
【特許文献１】特開２００２−１９２５０５公報
【特許文献２】特開平１０−１００３０７号公報
【発明の開示】
【発明が解決しようとする課題】
【０００５】
上記従来の藺草製敷物は、藺草を緯材料、木綿糸等を経材料として織成した基材シートを用いる関係上、軟質ポリウレタンフォームによる裏打ち等を施しても、経方向の腰が弱く、経方向の波打ちや緯辺部の捲れ等の不都合を防止することができない。
【０００６】
また上記従来の藺草製敷物は、藺草を緯材料、木綿糸等を経材料として織成した基材シートを用いる関係上、外縁部の縁布や緯辺の折り返しを施しても、特に緯辺部の強度が十分でなく、緯辺部等が使用により崩壊する不都合が改善されていない。
【０００７】
また上記従来の藺草製敷物は、基材シートが藺草を織成したものであるため、軟質ポリウレタンフォームによる裏打ち等を施しても、クッション性が少なく、フローリング床等の硬い床面に敷設すると、座った人の足、尻等に痛みを招来してしまうという不都合がある。
【０００８】
さらに上記従来の藺草製敷物は、藺草の風合い等を保持しつつ意匠性を高めるべく、染色した藺草を用いて織成することで基材シート表面に種々の模様を形成しているが、かかる手段では意匠性の向上には限界がある。
【０００９】
本発明はこれらの不都合に鑑みてなされたものであり、優れた腰、強度、耐久性、クッション性、滑り防止性及び意匠性を有する藺草製敷物の提供を目的とするものである。
【課題を解決するための手段】
【００１０】
上記課題を解決するためになされた発明は、
藺草を織成した方形の基材シートを備える藺草製敷物であって、
基材シートの表面側の外縁域に重畳される、藺草を織成した帯状の４枚のボーダーシートと、
基材シートの裏面側に接着剤を介して積層される軟質ポリマーシートと、
軟質ポリマーシートの裏面側に接着剤を介して積層される不織布と、
不織布の裏面に散点的に付設される軟質ポリマー製の複数のドットとを備えており、
上記ボーダーシートの藺草軸方向が略幅方向に向けられていることを特徴とする。
【００１１】
当該藺草製敷物は、藺草を織成した基材シートの表面側の外縁域に帯状のボーダーシートを重畳し、加えて基材シートの裏面側に軟質ポリマーシートと不織布を積層しているため、上記従来の藺草製敷物と比較して格段に高い腰を有している。特に、当該藺草製敷物は、ボーダーシートの藺草軸方向が略幅方向に向けられているため、緯辺部における基材シートの藺草軸方向とボーダーシートの藺草軸方向とが略直交し、緯辺部の腰が格段に向上する。そのため、当該藺草製敷物は、フローリング床等のあらゆる床面にぴったり敷設することができ、経方向の波打ちや緯辺部の捲れ等の不都合を防止することができる。
【００１２】
また当該藺草製敷物は、基材シートの外縁域に帯状のボーダーシートを重畳しているため、藺草を織成した基材シートの外縁部の強度ひいては耐久性を向上することができる。加えて、当該藺草製敷物は、ボーダーシートの藺草軸方向が略幅方向に向けられているため、ボーダーシートの藺草軸方向が相対する各外縁と略直交することとなり、強度及び耐久性の向上に寄与している。
【００１３】
さらに当該藺草製敷物は、藺草を織成した基材シートの裏面側に軟質ポリマーシートと不織布とを積層しているため、クッション性が非常に向上し、フローリング床等の硬い床面に敷設しても座り心地が改善されている。
【００１４】
また当該藺草製敷物は、裏面に散点的に付設される軟質ポリマー製の複数のドットを備えていることから、かかるドットによって滑りの発生が防止され、フローリング床等への適用性を向上することができる。
【００１５】
さらに当該藺草製敷物は、基材シートに外縁域に藺草を織成した帯状の４枚のボーダーシートを重畳することから、藺草の風合い等を損なうことなく模様の多様性が増大し、意匠性を向上することができる。
【００１６】
上記ボーダーシートの平均幅としては５ｃｍ以上１５ｃｍ以下が好ましい。このようにボーダーシートの平均幅を上記範囲とすることで、当該藺草製敷物の腰及び強度（耐久性）と当該藺草製敷物の意匠性とを効果的に高めることができる。
【００１７】
上記ボーダーシートは、藺草の袋織りにより形成するとよい。このようにボーダーシートを藺草の袋織りにより形成することで、当該藺草製敷物の腰及び強度（耐久性）をより高めることができる。
【００１８】
上記ボーダーシートの裏面に接着剤を積層するとよい。このようにボーダーシートの裏面に接着剤を積層することで、ボーダーシートを構成する藺草を固定し、藺草の飛び出しを防止することができ、その結果当該藺草製敷物の強度及び耐久性をさらに向上することができる。
【００１９】
上記接着剤としては、天然ゴム系接着剤を用いるとよい。このように接着剤として天然ゴム系接着剤を用いることで、ボーダーシートの比較的短繊維の藺草を効果的に接着固定することができ、並びに基材シート、軟質ポリマーシート及び不織布を確実に積層接着することができる。また天然ゴム系接着剤は乾燥後も比較的軟質であることから、当該藺草製敷物の柔軟性を阻害することなく、当該藺草製敷物の巻き取り及び折り畳みの容易性を保持することができる。
【発明の効果】
【００２０】
以上説明したように、本発明の藺草製敷物は、従来の藺草製敷物と比較して格段に優れた腰、強度、耐久性、クッション性、滑り防止性及び意匠性を有している。そのため、当該藺草製敷物は、フローリング床等の種々の床面に対して便利かつ審美的に敷設することができ、今日の住宅事情に適したものとなる。
【発明を実施するための最良の形態】
【００２１】
以下、適宜図面を参照しつつ本発明の実施の形態を詳説する。図１は本発明の一実施形態に係る藺草製敷物を示す模式的平面図、図２は図１の藺草製敷物を示す模式的断面図（切断線；Ａ−Ａ）、図３は図１の藺草製敷物の外縁周辺の層構造を説明する模式的拡大断面図である。
【００２２】
図１〜図３の藺草製敷物は、基材シート１、４枚のボーダーシート２ａ・２ｂ、軟質ポリマーシート３、不織布４及び複数のドット５を主構成要素とする積層構造体である。
【００２３】
基材シート１は、藺草を緯材料とし、木綿糸等を経材料として織成したものである。このように藺草を織成してなる原反の緯辺幅は、藺草の長さ、織機の性能等により所定の制限がある。そのため、当該基材シート１は、一対の基材シート用原反１ａを互いの経辺で接合して緯辺Ｂを拡幅し、略２畳に相当する略正方形に形成されている。
【００２４】
基材シート１における藺草の織り方としては、特に限定されるものではなく、例えば双目織り、糸引織り、大目織り、校倉織り、袋織り、掛川織り等を用いることができる。また、着色した藺草を用いて種々の模様を表面に現すことができる。
【００２５】
４枚のボーダーシート２ａ及び２ｂ（以下、特に区別しないときは２で代表する）は、藺草を織成した帯状のものであり、基材シート１の表面側の外縁域に重畳されている。ボーダーシート２の藺草軸方向Ｙは、略幅方向に向けられており、対応する各辺Ｂ・Ｌと略垂直方向になる。緯辺Ｂの外縁域に重畳される一対のボーダーシート２ａは、細長い長方形状に形成されている。一方、経辺Ｌの外縁域に重畳される一対のボーダーシート２ｂは、細長い長方形の両端が４５°にカットされた扁平な等脚台形状に形成されている。この緯辺Ｂの外縁域に重畳される一対のボーダーシート２ａの表面に経辺Ｌの外縁域に重畳される一対のボーダーシート２ｂが重ね合わされている。そのため、４枚のボーダーシート２の重ね合わせ線が基材シート１の各頂角から４５°に延び、縦横に対称となり、意匠性が向上する。
【００２６】
ボーダーシート２の裏面には、図３に示すように接着剤６が積層されている。このようにボーダーシート２の裏面に接着剤６を積層することで、ボーダーシート２を構成する比較的短繊維の藺草を固定し、藺草の飛び出しを防止することができる。
【００２７】
かかるボーダーシート２と基材シート１との接合手段を図３に従い説明する。ボーダーシート２の内側（ボーダーシート２ｂの斜辺側を含む）の端部に関しては、幅１ｃｍ程度のテープ状の縁布７が表裏に巻き付けられ、縁布７の上からミシン掛けを施すことで縁布７がミシン糸８で縫製固定されている（パイピング処理）。その縁布７の上から基材シート１及びボーダーシート２へミシン掛けを施すことで、基材シート１及びボーダーシート２がミシン糸９で縫製固定されている。一方、ボーダーシート２及び基材シート１の外側の端部に関しては、ミシン掛けを施すことでミシン糸１０で縫製固定され、さらに幅１ｃｍ程度のテープ状の縁布１１がボーダーシート２及び基材シート１の積層体の表裏に巻き付けられ、縁布１１の上からミシン掛けを施すことで縁布１１がミシン糸１２で縫製固定されている（パイピング処理）。このようにボーダーシート２の内側と外側とにそれぞれ縁布７及び１１によるパイピング処理を施し、２重の縫製を施すことで、解れ等が防止され、接合強度が格段に向上する。なお、縁布７及び１１は、図示していないが両側端縁がさらに内側に折り返され、２重の状態で縫製されており、両側端縁が露出しないように構成されている。
【００２８】
ボーダーシート２と基材シート１との接合方法としては、仕上がりの美しさ等の観点から、ボーダーシート２の内側端部のパイピング処理、ボーダーシート２及び基材シート１の外側端部の縫製、ボーダーシート２の内側端部と基材シート１との縫製、ボーダーシート２及び基材シート１の外側端部のパイピング処理の順が好ましい。
【００２９】
ボーダーシート２の平均幅としては、５ｃｍ以上１５ｃｍ以下が好ましく、１０ｃｍ程度が特に好ましい。ボーダーシート２の平均幅が上記範囲より小さいと、当該藺草製敷物の腰及び強度（耐久性）を向上する効果が小さくなる。一方、ボーダーシート２の平均幅が上記範囲を超えると、当該藺草製敷物の腰及び強度（耐久性）が不必要に大きくなり、逆に意匠性が低下するおそれがある。
【００３０】
ボーダーシート２の織り方としては、上記基材シート１と同様に例えば双目織り、糸引織り、大目織り、校倉織り、袋織り、掛川織り等を用いることができるが、袋織りが特に好ましい。このようにボーダーシート２を藺草の袋織りにより形成することで、ボーダーシート２の藺草長さが上述のように比較的短くても、ボーダーシート２の藺草の脱落等を低減する効果があり、当該藺草製敷物の腰及び強度（耐久性）をより高め、さらに着色した藺草による模様の多様性、精密性等を向上することができる。
【００３１】
軟質ポリマーシート３は、基材シート１の裏面に接着剤１３を介して積層されている。この軟質ポリマーシート３は、文字通り比較的軟質なポリマー製のシートであり、当該藺草製敷物にクッション性、断熱性等を付与する。かかる軟質ポリマーシート３の形成材料として使用されるポリマーとしては、特に限定されず、例えばポリウレタン、ポリ塩化ビニル、エチレン−酢酸ビニル共重合体等の合成樹脂や、例えば天然ゴム、スチレン−ブタジエン共重合ゴム、ポリクロロプレンゴム、アクリルニトリル−ブタジエン共重合ゴム等のゴムが挙げられる。これらの中でも、発泡ポリウレタンが特に好ましく、当該藺草製敷物に優れたクッション性、軽量性等を付与することができる。この発泡ポリウレタン中の気泡としては、連続気泡でも独立気泡でもよく、連続気泡によれば当該藺草製敷物に通気性が付与され、独立気泡によれば当該藺草製敷物に断熱性が付与される。
【００３２】
軟質ポリマーシート３の平均厚さとしては、１．５ｍｍ以上７ｍｍ以下が好ましく、２ｍｍ以上５ｍｍ以下が特に好ましい。軟質ポリマーシート３の平均厚さが上記範囲より小さいと、当該藺草製敷物にクッション性を付与することが困難になる。一方、軟質ポリマーシート３の平均厚さが上記範囲を超えると、当該藺草製敷物の厚み、重量等が増大し、取扱性が低下するおそれがある。
【００３３】
不織布４は、軟質ポリマーシート３の裏面に接着剤１４を介して積層されている。この不織布４を当該藺草製敷物の裏面側に積層することで、当該藺草製敷物のクッション性や畳、フローリング床等の種々の床面への敷設性を向上することができる。不織布４の材質としては、例えばポリエチレン（ＰＥ）、ポリエチレンテレフタレート（ＰＥＴ）、ポリプロピレン（ＰＰ）、ナイロン等が挙げられ、強度、価格性等を考慮するとポリプロピレンが好ましい。また、不織布４の坪量としては、クッション性等を考慮すれば３０〜８０ｇ／ｍ２程度が好適である。
【００３４】
複数のドット５は、軟質ポリマー製の凸部であり、不織布４の裏面に散点的に付設されている。この複数のドット５を当該藺草製敷物の裏面に付設することで、当該藺草製敷物に滑り防止性を付与することができる。ドット５に使用される軟質ポリマーとしては、例えばポリウレタン、ポリ塩化ビニル、エチレン−酢酸ビニル共重合体等の合成樹脂や、例えば天然ゴム、スチレン−ブタジエン共重合ゴム、ポリクロロプレンゴム、アクリルニトリル−ブタジエン共重合ゴム等のゴムが挙げられ、当該藺草製敷物の滑り防止性を考慮するとポリ塩化ビニルが好ましい。当該藺草製敷物の滑り防止性を考慮すると、ドット５の平均径としては０．５ｍｍ以上２ｍｍ以下が好ましく、ドット５の配設密度としては１０００００個／ｍ２以上５０００００個／ｍ２以下が好ましい。
【００３５】
上記接着剤６、１３及び１４としては、藺草、軟質ポリマーシート３及び不織布４の接着が可能であれば特に限定されず、例えば酢酸ビニル樹脂系接着剤、シリコーンゴム系接着剤、天然ゴム系接着剤等を使用することができ、中でも天然ゴム系接着剤が好ましい。かかる天然ゴム系接着剤は、ボーダーシート２を構成する藺草の接着固定及び基材シート１、軟質ポリマーシート３及び不織布４の積層接着が良好であり、さらに乾燥後の軟質性により当該藺草製敷物の柔軟性を維持し、当該藺草製敷物の巻き取り及び折り畳みの容易性を保持することができる。
【００３６】
当該藺草製敷物は、基材シート１の表面の外縁域に帯状のボーダーシート２を重畳し、加えて基材シート１の裏面に軟質ポリマーシート３と不織布４を積層しているため、格段に高い腰を有している。特に、当該藺草製敷物は、ボーダーシート２の藺草軸方向Ｙが略幅方向に向けられているため、緯辺Ｂ部における基材シート１の藺草軸方向Ｘとボーダーシート２ａの藺草軸方向Ｙとが略直交し、緯辺Ｂ周辺の腰が格段に向上する。そのため、当該藺草製敷物は、フローリング床等のあらゆる床面にぴったり敷設することができ、経方向の波打ちや緯辺Ｂ周辺部の捲れ等の不都合を防止することができる。
【００３７】
また当該藺草製敷物は、基材シート１の外縁域に帯状のボーダーシート２を重畳しているため、藺草を織成した基材シート１の外縁部の強度ひいては耐久性を向上することができる。加えて、当該藺草製敷物は、ボーダーシート２の藺草軸方向Ｙが略幅方向に向けられているため、ボーダーシート２の藺草軸方向Ｙが相対する各外縁Ｂ及びＬと略直交することとなり、強度及び耐久性の向上に寄与している。
【００３８】
さらに当該藺草製敷物は、藺草を織成した基材シート１の裏面側に軟質ポリマーシート３と不織布４とを積層しているため、クッション性が非常に向上し、フローリング床等の硬い床面に敷設しても座り心地が改善されている。
【００３９】
また当該藺草製敷物は、裏面に散点的に付設される軟質ポリマー製の複数のドット５を備えていることから、かかるドット５によって滑りの発生が防止され、フローリング床等への適用性を向上することができる。
【００４０】
さらに当該藺草製敷物は、基材シート１に外縁域に藺草を織成した帯状の４枚のボーダーシート２を重畳することから、藺草の風合い等を損なうことなく模様の多様性を増大することができ、意匠性を向上することができる。
【００４１】
なお、本発明の藺草製敷物は上記実施形態に限定されるものではない。例えば当該藺草製敷物の形状及び大きさは方形であれば種々の形状及び大きさに形成することができる。また、４枚のボーダーシート２の重複部も、種々の重ね合わせ形態を採用することができる。
【産業上の利用可能性】
【００４２】
以上のように、本発明の藺草製敷物は、住宅のフローリング床、畳床等の種々の床面の敷物として有用であり、特に高級敷物に適している。
【図面の簡単な説明】
【００４３】
【図１】本発明の一実施形態に係る藺草製敷物を示す模式的平面図
【図２】図１の藺草製敷物を示す模式的断面図（切断線；Ａ−Ａ）
【図３】図１の藺草製敷物の外縁周辺の層構造を説明する模式的拡大断面図
【符号の説明】
【００４４】
１  基材シート
１ａ  基材シート用原反
２  ボーダーシート
２ａ  ボーダーシート
２ｂ  ボーダーシート
３  軟質ポリマーシート
４  不織布
５  ドット
６  接着剤
７  縁布
８  ミシン糸
９  ミシン糸
１０  ミシン糸
１１  縁布
１２  ミシン糸
１３  接着剤
１４  接着剤
Ｂ  緯辺
Ｌ  経辺
Ｘ  基材シート１の藺草軸方向
Ｙ  ボーダーシート２の藺草軸方向
【図１】
2006254935.tif 000003
【図２】
2006254935.tif 000004
【図３】
2006254935.tif 000005